(57)【要約】【課題】軽量かつ簡便な構造であって、２，３枚のシートを挟持するために必要十分な挟持力を備え、かつ壁等垂直面への様々な固定手段の付加も可能に構成した小型のシートホルダーを提供する。【解決手段】本発明のシートホルダーは、箱状の保持体と保持体の中に格納されている弾力性を有する押圧体により構成され、押圧体が略Ｕ字型形状に屈曲され、かつ保持体に当接して配置される構成とすることにより、押圧体と保持体間に挿入されたシートを挟持する。かかるシートホルダーは、保持体の正面部と背面部の距離を伸縮して屈曲度を調整したり、押圧体の材質・寸法・枚数を変更するなど挟持力の調整手段の選択の幅が大きいので、最適な挟持力の要求に応じることができる。【選択図】図１
2009119635.tif 000002
【特許請求の範囲】
【請求項１】
シート挿入部（４）を備えた箱状の保持体（１）と、該保持体の中に格納された弾力性を有する板状の押圧体（２）とにより構成され、前記押圧体（２）が略Ｕ字型形状に屈曲されて前記保持体の正面部（１ｃ）及び背面部（１ａ）に当接するように配置されることにより、前記保持体（１）と押圧体（２）間に挿入されたシート（５）が挟持されることを特徴とするシートホルダー。
【請求項２】
前記保持体（１）と前記押圧体（２）がいずれも透明性を有する樹脂であることを特徴とする請求項１に記載のシートホルダー。
【請求項３】
前記保持体（１）の構造において、片側又は両側の側面部（１ｂ）を開放した構造とすることにより、前記押圧体（２）の取り外し及び／又は装着を可能としたことを特徴とする請求項１又は２に記載のシートホルダー。
【請求項４】
前記押圧体（２）の配置において、該押圧体の少なくとも一方の上端部が前記保持体の上面（１ｄ）に当接するように配置されたことを特徴とする請求項１ないし３の何れかに記載のシートホルダー。
【請求項５】
前記押圧体（２）の側面の上部のみが前記保持体の正面部（１ｃ）及び背面部（１ａ）に当接している場合において、保持体背面部（１ａ）の上部形状を押圧体の形状に適合するように湾曲させ、かつ下部形状を保持体下面（１ｅ）に対して垂直に形成したことを特徴とする請求項１ないし４の何れかに記載のシートホルダー。
【請求項６】
前記開放した側面（１ｂ１）の一部に押圧体脱落防止ストッパー（７）を取り付けたことを特徴とする請求項３ないし５の何れかに記載のシートホルダー。
【請求項７】
前記保持体の正面部（１ｃ）と底面部（１ｅ）及び／又は正面部（１ｃ）と上面部（１ｄ）を連続した曲線形状としたことを特徴とする請求項２ないし６の何れかに記載のシートホルダー。
【請求項８】
請求項１ないし７に記載のシートホルダーから構成されるシートホルダー群から選択された複数のシートホルダーを、多角形を形成するように互いに接合することにより自立可能としたことを特徴とする複合シートホルダー（１５）。
【請求項９】
請求項１ないし７に記載のシートホルダーから構成されるシートホルダー群から選択された複数のシートホルダーと、該シートホルダーを包摂する両側面部が開放されたシートホルダー保持体（１６）により構成され、シートホルダーを前記シートホルダー保持体内でスライドさせることにより複数のシートホルダーを挿入時間順に並べて保持し得ることを特徴とする複合シートホルダー。
【発明の詳細な説明】
【技術分野】
【０００１】
本発明はシートを挟持するシートホルダーに関するものである。
【背景技術】
【０００２】
技術の進歩により情報の電子化が進展し、電子メールや電子ファイルによって情報の広範かつ迅速な伝達や大容量の保存が図られている。しかし、職場内・店舗内・家庭内等の狭い空間内の情報伝達や比較的短時間の保存については、壁等の垂直面へのシートの固定が依然として最も簡便かつ効果的な方法である。
【０００３】
壁等の垂直面へのシートの固定方法としては、弱い糊付けをした専用メモ用紙をシートそのものとして用いて貼付する方法がある。この方法は壁等への別個の固定手段を考慮する必要がない点で優れているが、専用の用紙によらなければならないという問題がある。
なお、本発明でシートとは、紙・布・プラスチック等材質を問わず比較的薄い板状のもので、文字等情報を記載・内蔵したものをいい、ポスター等の寸法の大きなものも含まれる。
【０００４】
用紙を選ばずシートを壁等の垂直面に固定するためにいくつかの方法が提案されている。例えば、両側板から突出したゴム製のヒゲ間にシートを挟持したホルダーがある（特許文献１）。
この方法はゴムの密着力が強くシートが脱落しにくい点で効果が大きいが、反面、柔らかい材質のシートが挿入しにくく損傷のおそれがあること、構造が複雑なことが問題となる。このホルダーの垂直面への固定は裏側にネオジウム磁石を用いる等により行われる。
【０００５】
また、磁力を用いてシートを挟持するホルダーもある（特許文献２）。この方法は、磁石の磁力によりシートをしっかり挟持することができ、かつホルダーを金属の壁に固定できるという点で効果が大きい。一方、ホルダーが重いので金属（磁性金属）以外の壁への固定方法が限定されること、薄いシートを挟持した場合には磁力が強く取り外しにくいという問題点がある。
【０００６】
また、樹脂の弾力性を用いてシートを挟持する方法もある（特許文献３，４）。これらは、いずれも軽量かつ安価な材料を用いてでシートを挟持でき、薄いシートに対して適切な挟持力を有するという点で効果が大きい。一方、左右両側の湾曲した又は円形形状とした樹脂により挟持するのでホルダー全体が大きくなりがちであった。
さらに、シートの挟持以外にホルダーの保護やホルダーを壁等に固定するための筺体等が別個に必要になるという問題点があった。
【０００７】
【特許文献１】特許第２５２９６１７号公報
【特許文献２】特開２０００−６２３７２号公報
【特許文献３】特開２００４−１７６４９号公報
【特許文献４】特開２００４−１６０８７８号公報
【発明の開示】
【発明が解決しようとする課題】
【０００８】
本発明はこれらの問題点を解決するために、軽量かつ簡便な構造であって、数枚のシートを挟持するために必要十分な挟持力を備え、かつ壁等垂直面への様々な固定手段の付加も可能に構成した小型のシートホルダーを提供することを目的とする。また、透明材料の使用によりシート全体を視認可能とすることを目的とする。さらに、押圧体の挟持力を使用条件に応じて調整可能とすることを目的とするものである。
【課題を解決するための手段】
【０００９】
本発明のシートホルダーは、シート挿入部を備えた箱状の保持体と該保持体の中に格納された弾力性を有する板状の押圧体により構成され、押圧体が略Ｕ字型形状に屈曲されて保持体の正面部及び背面部に当接するように配置されることにより、保持体と押圧体間に挿入されたシートが挟持されることを特徴とする。
板状の押圧体は保持体の狭い空間内に略Ｕ字形状に屈曲され、保持体に当接した状態で格納されている。したがって、押圧体形状の板状体への復元力（弾力）によって、保持体の正面及び背面に対して押圧力が加えられることとなる。この押圧力により挿入されたシートは挟持された状態で保持される。
【００１０】
一般に、シートの安定的保持はシートの挟持力に依存するので、シートの保持のためには挟持力が大きければ大きい程良い。一方、シートの挿入や取り外しの際には、挟持力が大きすぎると入れにくくかつ取り出しにくくなり、損傷のおそれも増大する。この点から、挟持力は単に大きければ良いというわけではなく、挟持されるシートに対して十分な挟持力を発揮しつつ挿入・取り出しも容易な適切な挟持力を有することが最も好ましいこととなる。
本発明のシートホルダーは、２，３枚の薄いシートを主な挟持対象としており、これらに対して適切な挟持力を発揮できるものである。また、使用条件に適合させるためのホルダーの保持体の寸法、押圧体の材質・寸法等選択の範囲が広く、これらの選択により容易に所望の挟持力に調整することが可能である。
特に、Ｕ字状に屈曲された押圧体は元来板状体なので、枚数を調整して格納することにより挟持力を調整することは極めて容易である。押圧体を、例えばＯ字状に形成した場合には枚数調整は困難である。
【００１１】
さらに、本発明のシートホルダーにおける保持体は、押圧体と共にシートを挟持する機能を発揮し、押圧体を保護する筺体としての機能を発揮し、さらに壁等の垂直面への様々な固定手段の付加を可能とする形状となっている。したがって、シートホルダー全体として小型化が容易である。
【００１２】
ここで、保持体と押圧体はいずれも透明性を有する樹脂であることが好ましい。押圧体は弾力を有する材料でなければならないが、その中で樹脂は弾力性を有しかつ軽量であるという特徴を持つ。既述の通り、シートのホルダーはその性質上壁等の垂直面に取り付け可能でなければならないが、材質、表面状態等垂直面の多様な条件に適合する様々な取り付け方法を選択可能とするためには、ホルダーが軽量であることが極めて重要である。押圧体を樹脂製とし、かつ、保持体も樹脂製とすることによりホルダーの軽量化が可能となる。
また、本発明のシートホルダーにおける押圧体と保持体が共に透明であることにより、シート全体の中のホルダーによって挟持されている部分を、取り出すことなくそのままの状態で視認できる効果も有することとなる。
【００１３】
また、本発明のシートホルダーにおける保持体の構造において、片側又は両側の側面部を開放した構造とすることにより、押圧体の取り外し及び／又は装着を可能としたことを特徴とする。側面部を開放構造とすることによって、押圧体の屈曲状態を維持したまま新たな押圧体を追加したり、格納されている押圧体を取り出すことが可能となる。材質、厚み、寸法、屈曲度が一定の押圧体であっても枚数の加除によって押圧力が変わり、その結果、挟持力が変わることとなる。より簡便に挟持力を調整することが可能となるのである。
さらに、挟持力の強弱の調整のみならず、長期間の使用によって弾力が劣化した場合の取替えも同様に容易に行うことが可能である。
なお、側面部を開放構造とすることにより、シート挿入部が開き挟持力が弱まる可能性が生じる。このため、保持体は強度を有する材質及び／又は肉厚を有している。
さらに、必要により、側面端部に補強部品を嵌合す等補強部材を加えることも可能である。
【００１４】
また、本発明のシートホルダーにおける押圧体の配置において、該押圧体の少なくとも一方の上端部が前記保持体の上面に当接するように配置されたことを特徴とする。これにより、シート挿入時及び取り出し時の押圧体の位置ずれを防止することができる。ここで、複数枚数の押圧体を格納可能とする場合には、押圧体の上端部の位置に適合させて保持体の上面部を上下に移動可能に構成しても良い。
【００１５】
また、本発明のシートホルダーは、押圧体の側面の上部のみが保持体の正面部及び背面部に当接している場合において、保持体背面部の上部形状を押圧体の形状に適合するように湾曲傾斜させ、かつ下部形状を保持体下面に垂直に形成したことを特徴とする。押圧体はその復元力（弾力）によって板状に戻ろうとするが、柔軟な材質の場合にはその後保持体の形状に沿って当接するので、押圧体は広く保持体と面接触することになる。
しかし、押圧体が硬度大で柔軟性に欠ける材質の場合、押圧体は保持体の形状に沿って当接せず、押圧体上部のみ横方向に当接する一部接触に止まる。このため、シートが脱落する危険性を有することとなる。保持体背面の上部側の形状を押圧体の形状に対応した湾曲形状とすることによって、当接面積を広げて挟持力を強化することができる。
さらに、シート挿入部側を押圧体の形状に対応させずに直線形状とすることによってシートの挿入を確保できる。柔軟性に欠ける材質の押圧体が下部まで保持体に当接するとシートの挿入が困難となるが、保持体下部を直線形状とすることによって容易に行うことができる。
【００１６】
また、本発明のシートホルダーは、開放した側面の一部に押圧体脱落防止ストッパーを取り付けたことを特徴とする。押圧体の押圧力は正面部及び背面部に対して加えられるが、複数枚の押圧体が横にずれて重なっている場合や押圧体の加除・取替え時に側面部方向に飛び出す場合がある。脱落防止ストッパーを設置することによってそのような飛び出しを有効に阻止することができる。
【００１７】
また、本発明のシートホルダーは、保持体の正面部と底面部及び／又は正面部と上面部を連続した曲線形状としたことを特徴とする。保持体は押圧体の押圧力を支えるために十分な強度が要求されるので押圧体に比して板厚が大である。そのため、透明樹脂製の保持体であっても角部は透明度が低く内部を視認しにくくなっており、見る角度によってはシート上部を視認できない場合が生じる。角部を曲線形状とすることによって見る角度に関わらずシート上部を視認できることとなる。
【００１８】
また、本発明によれば、上述したシートホルダーから構成されるシートホルダー群から選択された複数のシートホルダーを、多角形を形成するように接合することにより自立可能な形状としたことを特徴とする複合シートホルダーが提供される。シートホルダーは壁等の垂直面に取り付けられて用いられる場合に限定されず、机等の上面に載置されて使用される場合がある。このような場合には、シートホルダーがスペースに応じて自立できる構造であることが必要である。このため本発明は、シートホルダーを複数接続して構成し、立てた状態でも横置きの状態でも安定して使用することができるようにしたものである。
【００１９】
また、本発明によれば、上述したシートホルダーから構成されるシートホルダー群から選択された複数のシートホルダーと、該シートホルダーを包摂する両側面部が開放されたシートホルダー保持体により構成され、シートホルダーをシートホルダー保持体内でスライドさせることにより複数のシートホルダーを挿入時間順に並べて保持することを特徴とする複合シートホルダーが提供される。シートホルダー保持体は、シートホルダー内の保持体と略同形で１回り大きな形状を有している。シートを挟持したシートホルダーはシートホルダー保持体内の左右端部から容易に差し込み可能である。また、スライドさせることにより複数のシートホルダーが時系列に沿ってコンパクトかつ整然と保持される。
【発明の効果】
【００２０】
本発明によれば、主にシート２，３枚の保持に適した小型軽量のシートホルダーが提供される。ここで、シートの挿入・取り出しはいずれも片手で行うことが可能である。保持体の正面部と背面部の距離を伸縮して屈曲度を調整したり、押圧体の材質・寸法・枚数を変更するなど挟持力の調整手段の選択の幅が大きいので、最適な挟持力の要求に応じることができる。
また、押圧体はＵ字形状なので、シートの挿入や取り出しを円滑に行うことができる。逆さＵ字形状、すなわち開いた面を下向きにした場合には、シートが押圧体の端面に引っ掛かり円滑なシート挿入が困難となる。また、構造が極めてシンプルなので安価に供給可能である。さらに、壁等垂直面に対する固定手段も様々な手段を選択することができるので、広範な場所で使用可能である。
【００２１】
また、保持体及び押圧体を透明樹脂とすることによって、軽量・安価かつ視認容易なホルダーが提供される。樹脂は極めて軽量なので、ホルダーを壁等垂直面に固定するために極めて有利である。裏面にマジックシートを貼付して金属面に固定したり、画鋲や糊等により木製面に固定したり、吸盤によって石やガラスの面に固定したり、クリップで凸部に挟み込んだり様々な手段を用いることが可能である。錘と結合することにより机上等に設置し、上からシートを挿入するようにすることも可能である。
また、樹脂は広く製造されているので、材質や寸法の選択が容易である。ポスター等の大きなシートの挟持も広幅樹脂の選択によって可能である。さらに、透明樹脂によってシートのホルダー内部に挟持されている部分を、いちいちシートを取り外すことなく視認することが可能となる。
なお、樹脂の材質は特に限定されない。弾力、硬度、透明性、耐久性等の観点から選択可能である。
【００２２】
また、保持体側面部の少なくとも一方を開放構造とすることによって、押圧体の枚数の加除を極めて容易にすることができる。標準枚数の押圧体を格納して製造し、販売時に数枚の押圧体をスペアとして付けたり、別売りすれば良い。ユーザは自己の使用状況における最適な挟持力を、保持体に格納する押圧体の枚数を加除することによって極めて容易に獲得することが可能である。保持体の寸法や押圧体の材質・寸法については製造段階において決定することが必要であり、製造段階でユーザの使用状況を想定しなければならない。
ユーザの多様な使用状況を想定して多種類の製品を製造することも可能ではあるが、生産効率を考慮すると限定された種類の製品に絞らざるを得ない。その点、押圧体の枚数加除による挟持力の調整であれば、製品販売段階又はユーザの使用段階で使用条件に適合させた調整を容易に行うことができる。
【００２３】
また、押圧体の少なくとも一方の上端部が前記保持体の上面に当接することにより、押圧体の位置ずれを防止し、安定した挟持力を保持することができる。
【００２４】
また、保持体背面上部の形状を押圧体の形状に適合させることにより、押圧体の当接面を広げることができる。特に、押圧体の材質が硬度の大きなものである場合はその効果が顕著である。また、背面のシート挿入部側は直線としてシートの挿入及び取り出しの容易性を確保している。
【００２５】
また、保持体の開放されている側面部にストッパーを付加することによって、押圧体の横ズレを防止できる。
【００２６】
また、保持体の正面部と底面部及び／又は正面部と上面部を連続した曲線形状とすることにより、保持体正面から観察する場合において、保持体の角がなくなり透明度が高まる。このためシートのホルダー内部に挟持されている部分を、より容易に視認することが可能となる。
【００２７】
また、シートホルダーを複数接続した複合シートホルダーにより、本発明のより広い利用を確保できる。大きな挟持スペースを有し、載置方法により横からの挟持、上からの挟持も可能となる。また、独立して載置できるので、別個の固定手段を必要とせずにどこにでも載置でき、移動させることも極めて容易である。透明樹脂製の場合は、シート全体を常に視認することも可能である。
【００２８】
また、複数のシートホルダーを格納するシートホルダー保持体を更に有することによって、１のシートホルダーを１単位とした簡便な情報管理システムの構築が可能になる。シートホルダーをシートホルダー保持体に左右どちらかから順に挿入すれば、先入れ先出しによる受注等の管理をすることが可能である。
【発明を実施するための最良の形態】
【００２９】
以下、この発明の最良の実施形態に係るシートホルダーを図面を参照しつつ詳細に説明する。
【００３０】
図１は本発明に係る基本的なシートホルダーの斜面図である。シートホルダーは保持体１と押圧体２により構成される。保持体は箱状で背面部１ａ、側面部１ｂ１及び１ｂ２、正面部１ｃ、上面部１ｄ、底面部１ｅ、固定部１ｆにより構成される。底面部１ｅはシートを挿入するため一部欠けた形状となっている。また、保持体背面部と押圧体の下方の間隙部はシート挿入口４となっており、保持体固定部１ｆは裏に貼付されたマグネットシート３によって壁に固定されている。壁への固定はマグネットシートに限定されず、諸々の手段により固定することが可能である。又、固定部１ｆを突出させて形成せずに、保持体背面部にマグネットシートを貼付する等の方法で壁と固定することも可能である。
【００３１】
保持体は肉厚０．５ｍｍの透明樹脂で高さ６０ｍｍ、奥行き９０ｍｍ、幅３００ｍｍ、押圧体は肉厚０．１ｍｍの透明樹脂でＵ字型に屈曲されて保持体に当接する状態で格納されている。肉厚、寸法は特に限定されす、シート及び挟持条件により決定される。保持体背面部は底面部の下方に突出している。突出させることに限定されるものではないが、シートを背面部の端面に引っ掛けずに挿入するためには、下方に突出させることが好ましい。
【００３２】
材料については、押圧体は弾力性を有するもので軽量のものであれば良く、保持体は一定強度を有してかつ軽量のものであれば良い。しかし、本発明を効果的に実現するためには、条件選択の範囲が広い樹脂製であることが好ましく、透明樹脂製であることが特に好ましい。なお、本実施例では押圧体の枚数は１枚であるが、枚数を増やすことによって要求挟持力に対応させることが可能であることは勿論である。
【００３３】
図２は本発明に係る基本的なシートホルダーの側面図である。柔軟性のある押圧体の側面部はほぼ全面的に保持体の背面部及び正面部に当接している。シート５を挿入口から挿入するとシートは押圧体と保持体背面部の間に挟み込まれる。シートを押圧体上部まで差し入れてから手を離すと、シートは押圧体と保持体背面部に挟持されて落下することなく保持される。シートを取り出すときは下方に引っ張れば容易に取り出すことができる。樹脂の表面は平滑なので、シートが損傷することはない。片手で安全に取り扱うことができる。
【００３４】
保持体と押圧体はいずれも透明性のある樹脂製なので、シートの端部に記載されている文字であっても、正面または側面から容易に視認するができる。正面下部または上部から観察する場合は、上面部と正面部または底面部と正面部の間の角部が内部視認の妨げとなる。そのような場合には、正面部と上面部及び／または正面部と底面部を連続した曲線形状とすれば良い。
【００３５】
図３は開放空間を利用して押圧体の枚数を加除可能とした場合の本発明に係るシートホルダーである。押圧体は３枚格納されており、側面部６は保持体側面部樹脂１ｂ１が外され開放された状態になっている。また、開放側面部６の上部には三角形状の横ずれストッパー７が取り付けられている。横ずれストッパーは複数の押圧体の重なりが崩れることを防止するが、押圧体の脱着に支障がないようにできるだけ小さいものであることが必要である。本図では、押圧体の脱着を容易にするための上部スペースにかかるように配されているが、これに限定されるものではない。
【００３６】
押圧体３枚はいずれもＵ字形状となっており、押圧体の側面部はほぼ全面的に保持体に当接しており、挿入されたシートは広い範囲で挟持される。挟持力が不足している場合には、開放されている側面から新たなシートを屈曲させて挿入し、すでに格納されている押圧体の内側に加えるだけで良い。横ずれストッパーは保持体背面部側上部に配置されているので、シートの加除の妨げにならない。
【００３７】
図４は保持体背面の形状を押圧体の形状に沿って傾斜させた場合の側面図である。押圧体は硬い材質の樹脂を使用しているために側面部は垂直にならない。押圧体の保持体正面部側側面は湾曲して上部のみが保持体正面部に当接している。保持体の背面部１ａの上部側はかかる押圧体の形状に対応し、湾曲した形状となっている。したがって、押圧体は広く保持体背面部に当接している。一方、保持体の背面部１ａの下部側は直線形状となっている。
【００３８】
シート５をホルダーに挿入する際は、押圧体下部と保持体背面部下部側との形状が異なり、シート挿入部が広く確保されているので、押圧体が硬い材質であっても容易に挿入することができる。さらに、シートが挿入され挟持されているときは、保持体背面部上部側と押圧体上部との密着度が高いために強く挟持される。
【００３９】
図５ないし図１０は本発明に係るシートホルダーの様々な態様の固定方法である。図５は木製や布製の垂直面に画鋲８で固定している場合の側面図である。本発明に係るシートホルダーは極めて軽量なのでセロハンテープ、糊、釘などでも同様に固定可能である。図６は鏡面やガラス面に吸盤９を用いて固定している場合の側面図である。吸盤は鏡やガラス面に特に効果的に吸着し、表面を傷つけずにシートを固定できる。例えば、化粧品の使用方法を記載した紙片をシートホルダーに挟持し、紙片の内容を確認しながら鏡を見ながら化粧をすることが可能となる。図７は、ノートパソコン１１の上部端面にクリップ１０で固定している場合の斜面図である。パソコンの各種操作を行う場合に、シートと画面の距離が近いので顔の向きを変更せずにシート記載内容を確認できる。クリップの代わりにゴムバンド等で固定することも可能である。図示していないが、保持体に背面支持板を結合することにより、上から挿入したＡ４サイズ等大きなシートを屈曲させることなく挟持することも可能である。さらに、シートホルダーを回転自在とする機構を付加して、通常はノートパソコンの裏側に位置させ、使用時にノートパソコンの右又は左側に取り出して原稿ホルダーとして使用することも可能である。なお、図７ないし図１３では、押圧体を省略して図示している。
【００４０】
図８は長尺のシートホルダーにポスターを挟持した場合の正面図である。市販の樹脂（ＰＥＴ）を用いて、高さ１１ｍｍ、奥行き１６ｍｍ、幅９００ｍｍのシートホルダーを作成し、ポスターを挟持することができた。構造がシンプルなので長尺の製品を製造することも容易であり、大面積のシートを挟持することができる。なお、図示していないが、ポリプロピレンを用いた幅６００ｍｍのシートホルダーを２つ接合した、幅１，２００ｍｍの超広幅のタイプも作成した。図９はシートホルダーを文鎮に接合して、床置き型シートホルダーとしたものである。シートは上から挿入して挟持される。挟持力が強すぎないので、取り外し時に下部の文鎮が一緒に持ち上がることがない。図１０は、図９同様に上から挿入するタイプであるが、壁に固定されていて、ＣＤケースなどやや分厚いシートを挟持している。かかる分厚いシートに対して本シートホルダーは、挟持力によりシートを直立させる役割を果たす。一般的な壁掛け型多目的ラックでは、ラックの溝の奥行きに比して収納対象物の厚みが薄い場合には収納対象物が傾斜して落下しやすくなり、又、厚い場合には収納できなかった。本発明に係るシートホルダーによる挟持力により、厚みがまちまちの収納対象物であっても、いずれも直立して保持され落下が防止される。
【００４１】
図１１及び図１２は本発明に係るシートホルダー３個を接合した複合シートホルダーを横及び縦に載置している場合の斜視図である。例えば、複合シートホルダーを横に載置してシートを上から差し込んだり、縦に載置して横から差し込んだりすることが可能である。横に載置した場合には重心が安定した状態で前後の２面を用いて挟持することができ、縦に載置した場合には、より狭いスペースに３面を用いて挟持することができる。いずれも簡単に持ち運ぶことが可能である。本実施例によるシートホルダーの接合個数は３個であり、三角柱として安定性に優れかつ広い挟持スペースを有するが、個数は特に制限されるものではない。なお、三角柱のうち２面をＡ４シートを差し込める大きさとし、かつ他の１面を外側に折りたたみ自在とすることにより、Ａ４サイズの原稿等を挟持できると共にカバン等に収まるポータブル原稿ホルダーとして用いることも可能である。
【００４２】
図１３は本発明に係る３個のシートホルダーをシートホルダー保持体に格納した場合の正面図である。シートホルダーは左右いずれかからシートホルダー保持体に挿入され、次のシートホルダーの挿入によりシート保持体内をスライドして奥側に移動する。さらに、その次のシートホルダーによって、より奥側にスライド移動することとなる。このことにより情報の時系列管理が可能になる。例えばレストランの注文管理に用いれば、注文受け済みの料理内容を記載したシートがシートホルダー保持体内に時系列に並び、注文残の品数と優先順位が一目瞭然となる。先に注文を受けながら忘れて放置してしまう事態も防止することができる。さらに、料理を運ぶ際に当該料理のシートホルダーもテーブルに運んで、清算時に使用するようにすれば、注文受けから料金清算まで一貫した一元的な管理が可能になる。
【産業上の利用可能性】
【００４３】
本発明は、簡便な構造で極めて安価に製造でき、かつオフィス、店舗、飲食店、家庭等において広範に用いることができる。したがって産業としての利用可能性は大きい。
【図面の簡単な説明】
【００４４】
【図１】シートホルダーの斜面図
【図２】シートホルダーの側面図
【図３】押圧体枚数調整型シートホルダーの側面図
【図４】保持体背面湾曲形状シートホルダーの側面図
【図５】画鋲による木製面への固定側面図
【図６】吸盤による鏡面への固定側面図
【図７】クリップによるノートパソコンへの固定斜面図
【図８】長尺シートホルダー正面図
【図９】錘による床置きシートホルダー正面図
【図１０】厚物保持シートホルダー正面図
【図１１】横置き時複合シートホルダー斜面図
【図１２】縦置き時複合シートホルダー斜面図
【図１３】複合シートホルダー正面図
【符号の説明】
【００４５】
１    保持体
１ａ  保持体背面部
１ｂ１保持体右側面部
１ｂ２保持体左側面部
１ｃ  保持体正面部
１ｄ  保持体上面部
１ｅ  保持体底面部
１ｆ  保持体背面部        
２    押圧体
３    マグネットペーパー
４    シート挿入部
５    シート
６    開放側面部
７    横ずれストッパー
８    画鋲
９    吸盤
１０  クリップ
１１  ノートパソコン
１２  ポスター
１３  錘
１４  ＣＤケース
１５  複合シートホルダー
１６  シートホルダー保持体
【図１】
2009119635.tif 000003
【図２】
2009119635.tif 000004
【図３】
2009119635.tif 000005
【図４】
2009119635.tif 000006
【図５】
2009119635.tif 000007
【図６】
2009119635.tif 000008
【図７】
2009119635.tif 000009
【図８】
2009119635.tif 000010
【図９】
2009119635.tif 000011
【図１０】
2009119635.tif 000012
【図１１】
2009119635.tif 000013
【図１２】
2009119635.tif 000014
【図１３】
2009119635.tif 000015
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
少なくとも上面部、正面部、背面部、底面部からなり、底面部と背面部との間にシート挿入部を備えた箱状の保持体と、該保持体の中に格納された弾力性を有する板状の押圧体とにより構成され、該押圧体が略Ｕ字型形状に屈曲されて、前記保持体の正面部及び背面部に当接し、かつ、該押圧体の少なくとも一方の上端部が前記保持体の上面に当接するように配置されることにより、押圧体の略Ｕ字型形状から板状への形状の復元力に基づく保持体の正面部及び背面部に対して加わる押圧力によって、挿入部から前記保持体と押圧体間に挿入されたシートが挟持されることを特徴とするシートホルダー。
【請求項２】
前記保持体の構造において、片側又は両側の側面部を開放した構造とすることにより、前記押圧体の取り外し及び／又は装着を可能としたことを特徴とする請求項１に記載のシートホルダー。
【請求項３】
前記押圧体が柔軟性に欠ける材質であって、該押圧体の側面の最上部のみが前記保持体の正面部及び背面部に当接している場合において、保持体背面部の上部側形状を押圧体の形状に適合するように湾曲させ、かつ下部形状を保持体下面に対して垂直に形成したことを特徴とする請求項１又は２に記載のシートホルダー。
【手続補正２】
【補正対象書類名】明細書
【補正対象項目名】全文
【補正方法】変更
【補正の内容】
【発明の詳細な説明】
【技術分野】
【０００１】
本発明はシートを挟持するシートホルダーに関するものである。
【背景技術】
【０００２】
技術の進歩により情報の電子化が進展し、電子メールや電子ファイルによって情報の広範かつ迅速な伝達や大容量の保存が図られている。しかし、職場内・店舗内・家庭内等の狭い空間内の情報伝達や比較的短時間の保存については、壁等の垂直面へのシートの固定が依然として最も簡便かつ効果的な方法である。
【０００３】
壁等の垂直面へのシートの固定方法としては、弱い糊付けをした専用メモ用紙をシートそのものとして用いて貼付する方法がある。この方法は壁等への別個の固定手段を考慮する必要がない点で優れているが、専用の用紙によらなければならないという問題がある。
なお、本発明でシートとは、紙・布・プラスチック等材質を問わず比較的薄い板状のもので、文字等情報を記載・内蔵したものをいい、ポスター等の寸法の大きなものも含まれる。
【０００４】
用紙を選ばずシートを壁等の垂直面に固定するためにいくつかの方法が提案されている。例えば、両側板から突出したゴム製のヒゲ間にシートを挟持したホルダーがある（特許文献１）。
この方法はゴムの密着力が強くシートが脱落しにくい点で効果が大きいが、反面、柔らかい材質のシートが挿入しにくく損傷のおそれがあること、構造が複雑なことが問題となる。このホルダーの垂直面への固定は裏側にネオジウム磁石を用いる等により行われる。
【０００５】
また、磁力を用いてシートを挟持するホルダーもある（特許文献２）。この方法は、磁石の磁力によりシートをしっかり挟持することができ、かつホルダーを金属の壁に固定できるという点で効果が大きい。一方、ホルダーが重いので金属（磁性金属）以外の壁への固定方法が限定されること、薄いシートを挟持した場合には磁力が強く取り外しにくいという問題点がある。
【０００６】
また、樹脂の弾力性を用いてシートを挟持する方法もある（特許文献３，４）。これらは、いずれも軽量かつ安価な材料を用いてでシートを挟持でき、薄いシートに対して適切な挟持力を有するという点で効果が大きい。一方、左右両側の湾曲した又は円形形状とした樹脂により挟持するのでホルダー全体が大きくなりがちであった。
さらに、シートの挟持以外にホルダーの保護やホルダーを壁等に固定するための筺体等が別個に必要になるという問題点があった。
【０００７】
【特許文献１】特許第２５２９６１７号公報
【特許文献２】特開２０００−６２３７２号公報
【特許文献３】特開２００４−１７６４９号公報
【特許文献４】特開２００４−１６０８７８号公報
【発明の開示】
【発明が解決しようとする課題】
【０００８】
本発明はこれらの問題点を解決するために、軽量かつ簡便な構造であって、数枚のシートを挟持するために必要十分な挟持力を備え、かつ壁等垂直面への様々な固定手段の付加も可能に構成した小型のシートホルダーを提供することを目的とする。また、透明材料の使用によりシート全体を視認可能とすることを目的とする。さらに、押圧体の挟持力を使用条件に応じて調整可能とすることを目的とするものである。
【課題を解決するための手段】
【０００９】
本発明のシートホルダーは、少なくとも上面部、正面部、背面部、底面部からなり、底面部と背面部との間にシート挿入部を備えた箱状の保持体と、該保持体の中に格納された弾力性を有する板状の押圧体とにより構成され、該押圧体が略Ｕ字型形状に屈曲されて、前記保持体の正面部及び背面部に当接し、かつ、該押圧体の少なくとも一方の上端部が前記保持体の上面に当接するように配置されることにより、押圧体の略Ｕ字型形状から板状への形状の復元力に基づく保持体の正面部及び背面部に対して加わる押圧力によって、挿入部から前記保持体と押圧体間に挿入されたシートが挟持されることを特徴とする。
板状の押圧体は保持体の狭い空間内に略Ｕ字形状に屈曲され、保持体に当接した状態で格納されている。したがって、押圧体形状の板状体への復元力（弾力）によって、保持体の正面及び背面に対して押圧力が加えられることとなる。この押圧力により挿入されたシートは挟持された状態で保持される。
【００１０】
一般に、シートの安定的保持はシートの挟持力に依存するので、シートの保持のためには挟持力が大きければ大きい程良い。一方、シートの挿入や取り外しの際には、挟持力が大きすぎると入れにくくかつ取り出しにくくなり、損傷のおそれも増大する。この点から、挟持力は単に大きければ良いというわけではなく、挟持されるシートに対して十分な挟持力を発揮しつつ挿入・取り出しも容易な適切な挟持力を有することが最も好ましいこととなる。
本発明のシートホルダーは、２，３枚の薄いシートを主な挟持対象としており、これらに対して適切な挟持力を発揮できるものである。また、使用条件に適合させるためのホルダーの保持体の寸法、押圧体の材質・寸法等選択の範囲が広く、これらの選択により容易に所望の挟持力に調整することが可能である。
特に、Ｕ字状に屈曲された押圧体は元来板状体なので、枚数を調整して格納することにより挟持力を調整することは極めて容易である。押圧体を、例えばＯ字状に形成した場合には枚数調整は困難である。
【００１１】
さらに、本発明のシートホルダーにおける保持体は、押圧体と共にシートを挟持する機能を発揮し、押圧体を保護する筺体としての機能を発揮し、さらに壁等の垂直面への様々な固定手段の付加を可能とする形状となっている。したがって、シートホルダー全体として小型化が容易である。
【００１２】
ここで、保持体と押圧体はいずれも透明性を有する樹脂であることが好ましい。押圧体は弾力を有する材料でなければならないが、その中で樹脂は弾力性を有しかつ軽量であるという特徴を持つ。既述の通り、シートのホルダーはその性質上壁等の垂直面に取り付け可能でなければならないが、材質、表面状態等垂直面の多様な条件に適合する様々な取り付け方法を選択可能とするためには、ホルダーが軽量であることが極めて重要である。押圧体を樹脂製とし、かつ、保持体も樹脂製とすることによりホルダーの軽量化が可能となる。
また、本発明のシートホルダーにおける押圧体と保持体が共に透明であることにより、シート全体の中のホルダーによって挟持されている部分を、取り出すことなくそのままの状態で視認できる効果も有することとなる。
【００１３】
また、本発明のシートホルダーにおける保持体の構造において、片側又は両側の側面部を開放した構造とすることにより、押圧体の取り外し及び／又は装着を可能とすることを特徴とする。側面部を開放構造とすることによって、押圧体の屈曲状態を維持したまま新たな押圧体を追加したり、格納されている押圧体を取り出すことが可能となる。材質、厚み、寸法、屈曲度が一定の押圧体であっても枚数の加除によって押圧力が変わり、その結果、挟持力が変わることとなる。より簡便に挟持力を調整することが可能となるのである。
さらに、挟持力の強弱の調整のみならず、長期間の使用によって弾力が劣化した場合の取替えも同様に容易に行うことが可能である。
なお、側面部を開放構造とすることにより、シート挿入部が開き挟持力が弱まる可能性が生じる。このため、保持体は強度を有する材質及び／又は肉厚を有している。
さらに、必要により、側面端部に補強部品を嵌合す等補強部材を加えることも可能である。
【００１４】
また、本発明のシートホルダーにおける押圧体の配置において、該押圧体の少なくとも一方の上端部が前記保持体の上面に当接するように配置されることもできる。これにより、シート挿入時及び取り出し時の押圧体の位置ずれを防止することができる。ここで、複数枚数の押圧体を格納可能とする場合には、押圧体の上端部の位置に適合させて保持体の上面部を上下に移動可能に構成しても良い。
【００１５】
また、本発明のシートホルダーは、前記押圧体が柔軟性に欠ける材質であって、該押圧体の側面の最上部のみが前記保持体の正面部及び背面部に当接している場合において、保持体背面部の上部側形状を押圧体の形状に適合するように湾曲させ、かつ下部形状を保持体下面に対して垂直に形成したことを特徴とする。押圧体はその復元力（弾力）によって板状に戻ろうとするが、柔軟な材質の場合にはその後保持体の形状に沿って当接するので、押圧体は広く保持体と面接触することになる。
しかし、押圧体が硬度大で柔軟性に欠ける材質の場合、押圧体は保持体の形状に沿って当接せず、押圧体上部のみ横方向に当接する一部接触に止まる。このため、シートが脱落する危険性を有することとなる。保持体背面の上部側の形状を押圧体の形状に対応した湾曲形状とすることによって、当接面積を広げて挟持力を強化することができる。
さらに、シート挿入部側を押圧体の形状に対応させずに直線形状とすることによってシートの挿入を確保できる。柔軟性に欠ける材質の押圧体が下部まで保持体に当接するとシートの挿入が困難となるが、保持体下部を直線形状とすることによって容易に行うことができる。
【００１６】
また、本発明のシートホルダーは、開放した側面の一部に押圧体脱落防止ストッパーを取り付けることもできる。押圧体の押圧力は正面部及び背面部に対して加えられるが、複数枚の押圧体が横にずれて重なっている場合や押圧体の加除・取替え時に側面部方向に飛び出す場合がある。脱落防止ストッパーを設置することによってそのような飛び出しを有効に阻止することができる。
【００１７】
また、本発明のシートホルダーは、保持体の正面部と底面部及び／又は正面部と上面部を連続した曲線形状とすることもできる。保持体は押圧体の押圧力を支えるために十分な強度が要求されるので押圧体に比して板厚が大である。そのため、透明樹脂製の保持体であっても角部は透明度が低く内部を視認しにくくなっており、見る角度によってはシート上部を視認できない場合が生じる。角部を曲線形状とすることによって見る角度に関わらずシート上部を視認できることとなる。
【００１８】
また、本発明によれば、上述したシートホルダーから構成されるシートホルダー群から選択された複数のシートホルダーを、多角形を形成するように接合することにより自立可能な形状とすることもできる。シートホルダーは壁等の垂直面に取り付けられて用いられる場合に限定されず、机等の上面に載置されて使用される場合がある。このような場合には、シートホルダーがスペースに応じて自立できる構造であることが必要である。このため本発明は、シートホルダーを複数接続して構成し、立てた状態でも横置きの状態でも安定して使用することができるようにしたものである。
【００１９】
また、本発明によれば、上述したシートホルダーから構成されるシートホルダー群から選択された複数のシートホルダーと、該シートホルダーを包摂する両側面部が開放されたシートホルダー保持体により構成され、シートホルダーをシートホルダー保持体内でスライドさせることにより複数のシートホルダーを挿入時間順に並べて保持することもできる。シートホルダー保持体は、シートホルダー内の保持体と略同形で１回り大きな形状を有している。シートを挟持したシートホルダーはシートホルダー保持体内の左右端部から容易に差し込み可能である。また、スライドさせることにより複数のシートホルダーが時系列に沿ってコンパクトかつ整然と保持される。
【発明の効果】
【００２０】
本発明によれば、主にシート２，３枚の保持に適した小型軽量のシートホルダーが提供される。ここで、シートの挿入・取り出しはいずれも片手で行うことが可能である。保持体の正面部と背面部の距離を伸縮して屈曲度を調整したり、押圧体の材質・寸法・枚数を変更するなど挟持力の調整手段の選択の幅が大きいので、最適な挟持力の要求に応じることができる。
また、押圧体はＵ字形状なので、シートの挿入や取り出しを円滑に行うことができる。逆さＵ字形状、すなわち開いた面を下向きにした場合には、シートが押圧体の端面に引っ掛かり円滑なシート挿入が困難となる。また、構造が極めてシンプルなので安価に供給可能である。さらに、壁等垂直面に対する固定手段も様々な手段を選択することができるので、広範な場所で使用可能である。
【００２１】
また、保持体及び押圧体を透明樹脂とすることによって、軽量・安価かつ視認容易なホルダーが提供される。樹脂は極めて軽量なので、ホルダーを壁等垂直面に固定するために極めて有利である。裏面にマジックシートを貼付して金属面に固定したり、画鋲や糊等により木製面に固定したり、吸盤によって石やガラスの面に固定したり、クリップで凸部に挟み込んだり様々な手段を用いることが可能である。錘と結合することにより机上等に設置し、上からシートを挿入するようにすることも可能である。
また、樹脂は広く製造されているので、材質や寸法の選択が容易である。ポスター等の大きなシートの挟持も広幅樹脂の選択によって可能である。さらに、透明樹脂によってシートのホルダー内部に挟持されている部分を、いちいちシートを取り外すことなく視認することが可能となる。
なお、樹脂の材質は特に限定されない。弾力、硬度、透明性、耐久性等の観点から選択可能である。
【００２２】
また、保持体側面部の少なくとも一方を開放構造とすることによって、押圧体の枚数の加除を極めて容易にすることができる。標準枚数の押圧体を格納して製造し、販売時に数枚の押圧体をスペアとして付けたり、別売りすれば良い。ユーザは自己の使用状況における最適な挟持力を、保持体に格納する押圧体の枚数を加除することによって極めて容易に獲得することが可能である。保持体の寸法や押圧体の材質・寸法については製造段階において決定することが必要であり、製造段階でユーザの使用状況を想定しなければならない。
ユーザの多様な使用状況を想定して多種類の製品を製造することも可能ではあるが、生産効率を考慮すると限定された種類の製品に絞らざるを得ない。その点、押圧体の枚数加除による挟持力の調整であれば、製品販売段階又はユーザの使用段階で使用条件に適合させた調整を容易に行うことができる。
【００２３】
また、押圧体の少なくとも一方の上端部が前記保持体の上面に当接することにより、押圧体の位置ずれを防止し、安定した挟持力を保持することができる。
【００２４】
また、保持体背面上部の形状を押圧体の形状に適合させることにより、押圧体の当接面を広げることができる。特に、押圧体の材質が硬度の大きなものである場合はその効果が顕著である。また、背面のシート挿入部側は直線としてシートの挿入及び取り出しの容易性を確保している。
【００２５】
また、保持体の開放されている側面部にストッパーを付加することによって、押圧体の横ズレを防止できる。
【００２６】
また、保持体の正面部と底面部及び／又は正面部と上面部を連続した曲線形状とすることにより、保持体正面から観察する場合において、保持体の角がなくなり透明度が高まる。このためシートのホルダー内部に挟持されている部分を、より容易に視認することが可能となる。
【００２７】
また、シートホルダーを複数接続した複合シートホルダーにより、本発明のより広い利用を確保できる。大きな挟持スペースを有し、載置方法により横からの挟持、上からの挟持も可能となる。また、独立して載置できるので、別個の固定手段を必要とせずにどこにでも載置でき、移動させることも極めて容易である。透明樹脂製の場合は、シート全体を常に視認することも可能である。
【００２８】
また、複数のシートホルダーを格納するシートホルダー保持体を更に有することによって、１のシートホルダーを１単位とした簡便な情報管理システムの構築が可能になる。シートホルダーをシートホルダー保持体に左右どちらかから順に挿入すれば、先入れ先出しによる受注等の管理をすることが可能である。さらに、美術館の掲示板で今後の展覧会の案内絵葉書等を多数アトランダムに貼付していることがあるが、本発明に係る複合シートホルダーを用いれば、入場者は月日順に展覧会開催予定が一目で把握できると共に、美術館事務局は掲示期限経過絵葉書等の選択を極めて容易に行うことができる等事務の合理化を図ることができる。
【発明を実施するための最良の形態】
【００２９】
以下、この発明の最良の実施形態に係るシートホルダーを図面を参照しつつ詳細に説明する。
【００３０】
図１は本発明に係る基本的なシートホルダーの斜面図である。シートホルダーは保持体１と押圧体２により構成される。保持体は箱状で背面部１ａ、側面部１ｂ１及び１ｂ２、正面部１ｃ、上面部１ｄ、底面部１ｅ、固定部１ｆにより構成される。底面部１ｅはシートを挿入するため一部欠けた形状となっている。また、保持体背面部と押圧体の下方の間隙部はシート挿入口４となっており、保持体固定部１ｆは裏に貼付されたマグネットシート３によって壁に固定されている。壁への固定はマグネットシートに限定されず、諸々の手段により固定することが可能である。又、固定部１ｆを突出させて形成せずに、保持体背面部にマグネットシートを貼付する等の方法で壁と固定することも可能である。
【００３１】
保持体は肉厚０．５ｍｍの透明樹脂で高さ６０ｍｍ、奥行き９０ｍｍ、幅３００ｍｍ、押圧体は肉厚０．１ｍｍの透明樹脂でＵ字型に屈曲されて保持体に当接する状態で格納されている。肉厚、寸法は特に限定されす、シート及び挟持条件により決定される。保持体背面部は底面部の下方に突出している。突出させることに限定されるものではないが、シートを背面部の端面に引っ掛けずに挿入するためには、下方に突出させることが好ましい。
【００３２】
材料については、押圧体は弾力性を有するもので軽量のものであれば良く、保持体は一定強度を有してかつ軽量のものであれば良い。しかし、本発明を効果的に実現するためには、条件選択の範囲が広い樹脂製であることが好ましく、透明樹脂製であることが特に好ましい。なお、本実施例では押圧体の枚数は１枚であるが、枚数を増やすことによって要求挟持力に対応させることが可能であることは勿論である。
【００３３】
図２は本発明に係る基本的なシートホルダーの側面図である。柔軟性のある押圧体の側面部はほぼ全面的に保持体の背面部及び正面部に当接している。シート５を挿入口から挿入するとシートは押圧体と保持体背面部の間に挟み込まれる。シートを押圧体上部まで差し入れてから手を離すと、シートは押圧体と保持体背面部に挟持されて落下することなく保持される。シートを取り出すときは下方に引っ張れば容易に取り出すことができる。樹脂の表面は平滑なので、シートが損傷することはない。片手で安全に取り扱うことができる。
【００３４】
保持体と押圧体はいずれも透明性のある樹脂製なので、シートの端部に記載されている文字であっても、正面または側面から容易に視認するができる。正面下部または上部から観察する場合は、上面部と正面部または底面部と正面部の間の角部が内部視認の妨げとなる。そのような場合には、正面部と上面部及び／または正面部と底面部を連続した曲線形状とすれば良い。
【００３５】
図３は開放空間を利用して押圧体の枚数を加除可能とした場合の本発明に係るシートホルダーである。押圧体は３枚格納されており、側面部６は保持体側面部樹脂１ｂ１が外され開放された状態になっている。また、開放側面部６の上部には三角形状の横ずれストッパー７が取り付けられている。横ずれストッパーは複数の押圧体の重なりが崩れることを防止するが、押圧体の脱着に支障がないようにできるだけ小さいものであることが必要である。本図では、押圧体の脱着を容易にするための上部スペースにかかるように配されているが、これに限定されるものではない。
【００３６】
押圧体３枚はいずれもＵ字形状となっており、押圧体の側面部はほぼ全面的に保持体に当接しており、挿入されたシートは広い範囲で挟持される。挟持力が不足している場合には、開放されている側面から新たなシートを屈曲させて挿入し、すでに格納されている押圧体の内側に加えるだけで良い。横ずれストッパーは保持体背面部側上部に配置されているので、シートの加除の妨げにならない。
【００３７】
図４は保持体背面の形状を押圧体の形状に沿って傾斜させた場合の側面図である。押圧体は硬い材質の樹脂を使用しているために側面部は垂直にならない。押圧体の保持体正面部側側面は湾曲して上部のみが保持体正面部に当接している。保持体の背面部１ａの上部側はかかる押圧体の形状に対応し、湾曲した形状となっている。したがって、押圧体は広く保持体背面部に当接している。一方、保持体の背面部１ａの下部側は直線形状となっている。
【００３８】
シート５をホルダーに挿入する際は、押圧体下部と保持体背面部下部側との形状が異なり、シート挿入部が広く確保されているので、押圧体が硬い材質であっても容易に挿入することができる。さらに、シートが挿入され挟持されているときは、保持体背面部上部側と押圧体上部との密着度が高いために強く挟持される。
【００３９】
図５ないし図１０は本発明に係るシートホルダーの様々な態様の固定方法である。図５は木製や布製の垂直面に画鋲８で固定している場合の側面図である。本発明に係るシートホルダーは極めて軽量なのでセロハンテープ、糊、釘などでも同様に固定可能である。図６は鏡面やガラス面に吸盤９を用いて固定している場合の側面図である。吸盤は鏡やガラス面に特に効果的に吸着し、表面を傷つけずにシートを固定できる。例えば、化粧品の使用方法を記載した紙片をシートホルダーに挟持し、紙片の内容を確認しながら鏡を見ながら化粧をすることが可能となる。図７は、ノートパソコン１１の上部端面にクリップ１０で固定している場合の斜面図である。パソコンの各種操作を行う場合に、シートと画面の距離が近いので顔の向きを変更せずにシート記載内容を確認できる。クリップの代わりにゴムバンド等で固定することも可能である。なお、図７ないし図１３では、押圧体を省略して図示している。
【００４０】
図８は長尺のシートホルダーにポスターを挟持した場合の正面図である。市販の樹脂（ＰＥＴ）を用いて、高さ１１ｍｍ、奥行き１６ｍｍ、幅９００ｍｍのシートホルダーを作成し、ポスターを挟持することができた。構造がシンプルなので長尺の製品を製造することも容易であり、大面積のシートを挟持することができる。なお、図示していないが、ポリプロピレンを用いた幅６００ｍｍのシートホルダーを２つ接合した、幅１，２００ｍｍの超広幅のタイプも作成した。図９はシートホルダーを文鎮に接合して、床置き型シートホルダーとしたものである。シートは上から挿入して挟持される。挟持力が強すぎないので、取り外し時に下部の文鎮が一緒に持ち上がることがない。図１０は、図９同様に上から挿入するタイプであるが、壁に固定されていて、ＣＤケースなどやや分厚いシートを挟持している。かかる分厚いシートに対して本シートホルダーは、挟持力によりシートを直立させる役割を果たす。一般的な壁掛け型多目的ラックでは、ラックの溝の奥行きに比して収納対象物の厚みが薄い場合には収納対象物が傾斜して落下しやすくなり、又、厚い場合には収納できなかった。本発明に係るシートホルダーによる挟持力により、厚みがまちまちの収納対象物であっても、いずれも直立して保持され落下が防止される。
【００４１】
図１１及び図１２は本発明に係るシートホルダー３個を接合した複合シートホルダーを横及び縦に載置している場合の斜視図である。例えば、複合シートホルダーを横に載置してシートを上から差し込んだり、縦に載置して横から差し込んだりすることが可能である。横に載置した場合には重心が安定した状態で前後の２面を用いて挟持することができ、縦に載置した場合には、より狭いスペースに３面を用いて挟持することができる。いずれも簡単に持ち運ぶことが可能である。本実施例によるシートホルダーの接合個数は３個であり、三角柱として安定性に優れかつ広い挟持スペースを有するが、個数は特に制限されるものではない。
【００４２】
図１３は本発明に係る３個のシートホルダーをシートホルダー保持体に格納した場合の正面図である。シートホルダーは左右いずれかからシートホルダー保持体に挿入され、次のシートホルダーの挿入によりシート保持体内をスライドして奥側に移動する。さらに、その次のシートホルダーによって、より奥側にスライド移動することとなる。このことにより情報の時系列管理が可能になる。例えばレストランの注文管理に用いれば、注文受け済みの料理内容を記載したシートがシートホルダー保持体内に時系列に並び、注文残の品数と優先順位が一目瞭然となる。先に注文を受けながら忘れて放置してしまう事態も防止することができる。さらに、料理を運ぶ際に当該料理のシートホルダーもテーブルに運んで、清算時に使用するようにすれば、注文受けから料金清算まで一貫した一元的な管理が可能になる。
【産業上の利用可能性】
【００４３】
本発明は、簡便な構造で極めて安価に製造でき、かつオフィス、店舗、飲食店、家庭等において広範に用いることができる。したがって産業としての利用可能性は大きい。
【図面の簡単な説明】
【００４４】
【図１】シートホルダーの斜面図
【図２】シートホルダーの側面図
【図３】押圧体枚数調整型シートホルダーの側面図
【図４】保持体背面湾曲形状シートホルダーの側面図
【図５】画鋲による木製面への固定側面図
【図６】吸盤による鏡面への固定側面図
【図７】クリップによるノートパソコンへの固定斜面図
【図８】長尺シートホルダー正面図
【図９】錘による床置きシートホルダー正面図
【図１０】厚物保持シートホルダー正面図
【図１１】横置き時複合シートホルダー斜面図
【図１２】縦置き時複合シートホルダー斜面図
【図１３】複合シートホルダー正面図
【符号の説明】
【００４５】
１    保持体
１ａ  保持体背面部
１ｂ１保持体右側面部
１ｂ２保持体左側面部
１ｃ  保持体正面部
１ｄ  保持体上面部
１ｅ  保持体底面部
１ｆ  保持体背面部
２    押圧体
３    マグネットペーパー
４    シート挿入部
５    シート
６    開放側面部
７    横ずれストッパー
８    画鋲
９    吸盤
１０  クリップ
１１  ノートパソコン
１２  ポスター
１３  錘
１４  ＣＤケース
１５  複合シートホルダー
１６  シートホルダー保持体